(57)【要約】【課題】  従来の撮影装置では、ファインダー画面内に表示されるオートフォーカス・エリアが画面中心にある場合とその他の位置にある場合とで、区別がつかない。【解決手段】  焦点を自動的に合わせる画面位置を示すオートフォーカス位置表示が画面中心にある場合と画面中心にない場合とで、表示制御手段により、オートフォーカス位置表示の表示形態が異ならせられる。このため、使用者は、オートフォーカス位置表示が画面中心にある場合と画面中心にない場合とを明確に区別することができ、画面中心以外の位置にあるオートフォーカス位置表示を画面中心に容易に移動させることができる。この結果、画面中心に焦点を合わせるオートフォーカス撮影を行いたい使用者の要望に応じた、使い勝手の良いデジタルカメラ１が提供される。【選択図】  図２
2011023913.tif 000002
【特許請求の範囲】
【請求項１】
焦点を自動的に合わせる画面位置を示すオートフォーカス位置表示と被写体像とを重ねて画面に表示する表示手段と、
前記オートフォーカス位置表示の最小単位の移動の前後で各前記オートフォーカス位置表示が重なり合う位置関係に前記オートフォーカス位置表示を移動させる移動手段と、
前記オートフォーカス位置表示が画面中心にある場合と画面中心にない場合とで前記オートフォーカス位置表示の表示形態を異ならせる表示制御手段と
を備えた撮影装置。
【請求項２】
請求項１に記載の撮影装置において、
前記表示手段は、位相差検出方式によりオートフォーカスの可能な複数のオートフォーカス位置を画面に有し、
前記表示制御手段は、コントラスト検出方式によりオートフォーカスが行われる前記オートフォーカス位置表示が前記移動手段により移動させられて、位相差検出方式によりオートフォーカスの可能ないずれかの前記オートフォーカス位置に一致した場合、前記オートフォーカス位置表示の表示形態を一致する前と異ならせる
ことを特徴とする撮影装置。
【請求項３】
焦点を自動的に合わせる画面位置を示すオートフォーカス位置表示と被写体像とを重ねて画面に表示する表示手段と、
前記オートフォーカス位置表示を移動させる移動手段と、
特定の位置のオートフォーカス位置を少なくとも１箇所指定可能な指定手段と、
前記移動手段により前記オートフォーカス位置表示が前記指定手段によって指定された特定の位置に移動された場合と移動されない場合とで前記オートフォーカス位置表示の表示形態を異ならせる表示制御手段と
を備えた撮影装置。
【請求項４】
請求項１から請求項３のいずれか１項に記載の撮影装置において、
前記表示制御手段は、前記オートフォーカス位置表示の表示形態を色、大きさ、輝度、または形状の少なくとも１つを変化させて異ならせる
ことを特徴とする撮影装置。
【請求項５】
請求項１から請求項４のいずれか１項に記載の撮影装置において、
前記表示手段は、背面モニタまたは光学式ビューファインダーまたは電子式ビューファインダーである
ことを特徴とする撮影装置。
【発明の詳細な説明】
【技術分野】
【０００１】
本発明は、焦点を自動的に合わせる画面位置を示すオートフォーカス位置表示と被写体像とを重ねて画面に表示する表示手段を備えた撮影装置に関する。
【背景技術】
【０００２】
従来、この種の撮影装置としては、例えば特許文献１に開示されたカメラがある。このカメラは、ファインダー画面内の複数のエリアの中から任意の１つのエリアを選択して、焦点検出のための測距を行うオートフォーカス・エリアを選択するエリア選択装置を備えている。ファインダー画面内での、エリア選択装置により選択されたオートフォーカス・エリアは、外部表示を制御する制御手段により、外部表示上にその選択位置が表示される。
【先行技術文献】
【特許文献】
【０００３】
【特許文献１】特開平９−２７４２３９号公報
【発明の概要】
【発明が解決しようとする課題】
【０００４】
しかしながら、特許文献１に開示されたような従来の撮影装置では、ファインダー画面内に表示されるオートフォーカス・エリアが画面中心にある場合とその他の位置にある場合とで、区別がつかない。このため、使用者は、撮影時に画面中心のエリアを容易に選択することができないため、画面中心のエリアでオートフォーカスを行うことができず、撮影時のカメラの使い勝手が悪い。
【０００５】
また、ファインダー画面内における、使用者の好みの特定のエリアで、オートフォーカスによる撮影を何回も行いたい場合に、使用者の好みの特定のエリアの位置を正確に記憶して選択することが困難であるため、構図の再現性が良くない。
【課題を解決するための手段】
【０００６】
本発明はこのような課題を解決するためになされたもので、
焦点を自動的に合わせる画面位置を示すオートフォーカス位置表示と被写体像とを重ねて画面に表示する表示手段と、
オートフォーカス位置表示の最小単位の移動の前後で各オートフォーカス位置表示が重なり合う位置関係にオートフォーカス位置表示を移動させる移動手段と、
オートフォーカス位置表示が画面中心にある場合と画面中心にない場合とでオートフォーカス位置表示の表示形態を異ならせる表示制御手段と
を備えて撮影装置を構成した。
【０００７】
本構成によれば、焦点を自動的に合わせる画面位置を示すオートフォーカス位置表示が画面中心にある場合と画面中心にない場合とで、表示制御手段により、オートフォーカス位置表示の表示形態が異ならせられる。このため、使用者は、オートフォーカス位置表示が画面中心にある場合と画面中心にない場合とを明確に区別することができ、画面中心以外の位置にあるオートフォーカス位置表示を画面中心に容易に移動させることができる。この結果、画面中心に焦点を合わせるオートフォーカス撮影を行いたい使用者の要望に応じた、使い勝手の良い撮影装置が提供される。
【０００８】
また、本発明は、表示手段が、位相差検出方式によりオートフォーカスの可能な複数のオートフォーカス位置を画面に有し、
表示制御手段が、コントラスト検出方式によりオートフォーカスが行われるオートフォーカス位置表示が移動手段により移動させられて、位相差検出方式によりオートフォーカスの可能ないずれかのオートフォーカス位置に一致した場合、オートフォーカス位置表示の表示形態を一致する前と異ならせることを特徴とする。
【０００９】
本構成によれば、コントラスト検出方式によりオートフォーカスが行われるオートフォーカス位置表示が移動手段により移動させられて、位相差検出方式によりオートフォーカスの可能ないずれかのオートフォーカス位置に一致した場合、表示制御手段により、オートフォーカス位置表示の表示形態が一致する前と異ならせられる。このため、コントラスト検出方式での撮影時に、位相差検出方式によりオートフォーカスの可能ないずれかのオートフォーカス位置にオートフォーカス位置表示を容易に移動することができる。従って、使用者は、コントラスト検出方式でのオートフォーカス撮影時に、位相差検出方式によりオートフォーカスの可能な所望のオートフォーカス位置において、位相差検出方式によるオートフォーカス撮影に切り替えて、被写体により正確に焦点を合わせてオートフォーカス撮影をすることが可能となる。
【００１０】
また、本発明は、焦点を自動的に合わせる画面位置を示すオートフォーカス位置表示と被写体像とを重ねて画面に表示する表示手段と、
オートフォーカス位置表示を移動させる移動手段と、
特定の位置のオートフォーカス位置を少なくとも１箇所指定可能な指定手段と、
移動手段によりオートフォーカス位置表示が指定手段によって指定された特定の位置に移動された場合と移動されない場合とでオートフォーカス位置表示の表示形態を異ならせる表示制御手段と
を備えて撮影装置を構成した。
【００１１】
本構成によれば、移動手段によりオートフォーカス位置表示が指定手段によって指定された特定の位置に移動された場合と移動されない場合とで、表示制御手段により、オートフォーカス位置表示の表示形態が異ならせられる。このため、オートフォーカス位置表示を指定手段により指定した特定の位置に移動して撮影を行いたい場合、使用者は、オートフォーカス位置表示の表示形態の変化により、特定の位置にオートフォーカス位置表示を容易に移動させることができる。この結果、オートフォーカス位置表示を指定手段により指定した特定の位置に移動して撮影を行った後、再びこの特定の位置で撮影を行いたい場合、使用者は、再びこの特定の位置にオートフォーカス位置表示を容易に移動させることができ、オートフォーカス撮影における構図の再現性が向上する。
【００１２】
また、本発明は、表示制御手段が、オートフォーカス位置表示の表示形態を色、大きさ、輝度、または形状の少なくとも１つを変化させて異ならせることを特徴とする。
【００１３】
本構成によれば、オートフォーカス位置表示の表示形態は、表示制御手段により、色、大きさ、輝度、または形状の少なくとも１つが変化させられて、異ならせられる。このため、使用者は、オートフォーカス位置表示の表示形態が異なるのを、これらによって明確に容易に区別できる。
【００１４】
また、本発明は、表示手段が、背面モニタまたは光学式ビューファインダーまたは電子式ビューファインダーであるを特徴とする。
【００１５】
本構成によれば、使用者は、背面モニタまたは光学式ビューファインダーまたは電子式ビューファインダーの画面において、オートフォーカス位置表示を見ながら、オートフォーカスによる撮影を使い勝手よく行うことができる。
【発明の効果】
【００１６】
本発明による撮影装置によれば、上記のように、画面中心に焦点を合わせるオートフォーカス撮影を行いたい使用者の要望に応じた、使い勝手の良い撮影装置が提供される。また、オートフォーカス位置表示を指定手段により指定した特定の位置に移動して撮影を行った後、再びこの特定の位置で撮影を行いたい場合、使用者は、再びこの特定の位置にオートフォーカス位置表示を容易に移動させることができ、オートフォーカス撮影における構図の再現性が向上する。
【図面の簡単な説明】
【００１７】
【図１】本発明の一実施の形態によるデジタルカメラの電気回路構成の概略を示すブロック図である。
【図２】図１に示すデジタルカメラの背面モニタに被写体像であるリンゴ、およびオートフォーカス位置表示が表示されている図である。
【図３】図１に示すデジタルカメラの背面モニタにオートフォーカス位置表示を表示する処理の概略を示すフローチャートである。
【図４】本発明の変形例によるデジタルカメラの背面モニタに、オートフォーカス位置表示が特定の位置にあるか否かによってその表示形態を変化させて表示させる処理の概略を示すフローチャートである。
【図５】本発明の変形例によるデジタルカメラの背面モニタに表示されるオートフォーカス位置表示の様々な表示形態の概略を示した図である。
【図６】本発明の変形例によるデジタルカメラの背面モニタ上でオートフォーカス位置表示を動かした場合の表示形態の変化の概略を示した図である。
【図７】本発明の変形例によるデジタルカメラにおけるオートフォーカスの設定が位相差検出方式である場合に焦点が合わせられる箇所を示した図である。
【発明を実施するための形態】
【００１８】
次に、本発明による撮影装置をデジタルカメラ１に適用した場合における一実施の形態について説明する。
【００１９】
図１は、この一実施の形態によるデジタルカメラ１の電気回路構成の概略を示すブロック図である。
【００２０】
デジタルカメラ１は、ＣＰＵ（Central Processing Unit）１１、ＥＥＰＲＯＭ（Electrically Erasable Programmable Ｒead Ｏnly Ｍemory）などで構成される不揮発性メモリ１２、およびＲＡＭ（Random Access Memory）などで構成されるバッファメモリ１３を備えている。不揮発性メモリ１２には、ＣＰＵ１１が種々の制御を行う際に参照される制御プログラムなどが格納されている。ＣＰＵ１１は、不揮発性メモリ１２に格納されている制御プログラムに従い、バッファメモリ１３を一時記憶作業領域として回路各部の制御を行い、デジタルカメラ１の種々の装置機能を作動させる。
【００２１】
被写体からの光は、光学系を構成するレンズ１４を介してデジタルカメラ１内に取り込まれる。デジタルカメラ１内に取り込まれた被写体光は、撮像部１５の撮像面１５ａ上に被写体像を投影する。撮像部１５は、ＣＣＤ（Charge Coupled Device）やＣＭＯＳ（Complementary Metal Oxide Semiconductor）などからなり、撮像部１５の撮像面１５ａ上に結像した被写体像は、アナログの撮像信号に変換される。変換された撮像信号は、Ａ／Ｄ変換部１６においてデジタル信号に変換される。画像処理部１７は、Ａ／Ｄ変換部１６でデジタル信号に変換された撮像信号をバス１８を介して取得し、取得した撮像信号に対して、ホワイトバランス処理やガンマ補正などの画像処理を行い、撮影された画像の画像データを生成する。画像処理部１７によって生成された画像データは、ＣＰＵ１１により、圧縮処理が施されてバッファメモリ１３に格納されると共に、Ｉ／Ｆ部１９を介して、図示しないスロットに着脱されるメモリカード２０に記録される。
【００２２】
ＣＰＵ１１には、シャッターボタン２および背面モニタ３が接続されている。シャッターボタン２は、半押しされるとオートフォーカス（Auto Focus）機能を作動させ、全押しされると予め設定されたシャッター速度でシャッターを開かせ、被写体像を撮像部１５の撮像面１５ａに所定時間露光させて被写体の撮影を行わせる。背面モニタ３は、ＴＦＴ（Thin Film Transistor）液晶からなる。背面モニタ３には、撮像部１５の撮像面１５ａで撮像される被写体像がスルー画として表示され、撮影者はこのスルー画で構図を確認する。例えば、背面モニタ３には、図２（ａ）に示すように、リンゴ４が被写体像として表示される。また、オートフォーカス機能が作動すると、背面モニタ３には、焦点を自動的に合わせる画面位置を示すオートフォーカス位置表示５が表示される。背面モニタ３は、オートフォーカス位置表示５とリンゴ４などの被写体像とを重ねて画面に表示する表示手段を構成する。
【００２３】
デジタルカメラ１のボディ背面における背面モニタ３の右側には、上下方向および左右方向といった操作方向を検出する方向キーからなる、図示しないマルチセレクターボタンが設けられており、マルチセレクターボタンの内側には中央ボタンが設けられている。マルチセレクターボタンは、デジタルカメラ１の各種設定を行うメニュー画面において、種々の設定項目の中から所望の設定項目を選択する際などに操作される。また、中央ボタンは、マルチセレクターボタンの操作によって選択された所望の設定項目を決定する際などに操作される。
【００２４】
オートフォーカス位置表示５は、使用者のマルチセレクターボタンの操作により、背面モニタ３上をその移動の前後でオーバーラップしながら移動させることが可能である。ＣＰＵ１１およびマルチセレクターボタンは、オートフォーカス位置表示５の最小単位の移動の前後で各オートフォーカス位置表示５が重なり合う位置関係に、オートフォーカス位置表示５を移動させる移動手段を構成する。
【００２５】
また、ＣＰＵ１１は、オートフォーカス位置表示５が図２（ａ）に示すように画面中心にない場合、オートフォーカス位置表示５の表示形態を同図に示すような矩形の表示形態にしているが、オートフォーカス位置表示５が図２（ｂ）に示すように画面中心にある場合、オートフォーカス位置表示５の表示形態を同図に示すような矩形と十字を組み合わせた表示形態５ａにする。ＣＰＵ１１は、オートフォーカス位置表示５が画面中心にある場合と画面中心にない場合とでオートフォーカス位置表示５の表示形態を異ならせる表示制御手段を構成する。
【００２６】
図３は、ＣＰＵ１１によって行われるオートフォーカス位置表示５を表示する処理の概略を示すフローチャートである。
【００２７】
ＣＰＵ１１は、ステップ（以下、Ｓと記す）１において、メニュー画面などにおいてオートフォーカス位置表示５の表示を有効にする設定が行われていて、オートフォーカス位置表示５が必要であるか否かを判別する。この判別が“ＮＯ”の場合、処理は終了する。一方、オートフォーカス位置表示５の表示設定が有効に設定されていて、Ｓ１の判別が“ＹＥＳ”の場合、ＣＰＵ１１は、Ｓ２において、オートフォーカス位置表示５が背面モニタ３の画面中央に位置するか否かを判別する。図２（ａ）に示すように、オートフォーカス位置表示５が背面モニタ３の中央に位置せず、この判別がＮＯ”の場合、Ｓ３の処理において、ＣＰＵ１１は、オートフォーカス位置表示５の表示形態を図２（ａ）に示すような表示形態にする。一方、図２（ｂ）に示すように、オートフォーカス位置表示５が背面モニタ３の中央に位置しており、Ｓ２の判別が“ＹＥＳ”の場合、Ｓ４の処理において、ＣＰＵ１１は、オートフォーカス位置表示の表示形態を図２（ｂ）に示すような表示形態５ａにする。Ｓ３またはＳ４の処理の後、ＣＰＵ１１は、再び、Ｓ１において、オートフォーカス位置表示５が必要とされるか否かの判別を行う。
【００２８】
このような本実施形態によるデジタルカメラ１によれば、焦点を自動的に合わせる画面位置を示すオートフォーカス位置表示５が画面中心にある場合と画面中心にない場合とで、表示制御手段により、オートフォーカス位置表示５の表示形態が異ならせられる。このため、使用者は、オートフォーカス位置表示５が画面中心にある場合と画面中心にない場合とを明確に区別することができ、画面中心以外の位置にあるオートフォーカス位置表示５を画面中心に容易に移動させることができる。この結果、画面中心に焦点を合わせるオートフォーカス撮影を行いたい使用者の要望に応じた、使い勝手の良いデジタルカメラ１が提供される。
【００２９】
なお、上述した実施形態では、オートフォーカス位置表示５が画面中心にあるか否かにより、オートフォーカス位置表示５の表示形態を変化させたが、オートフォーカス位置表示５が画面中心以外の特定の位置にあるか否かによってその表示形態を異ならせる構成としてもよい。
【００３０】
図４は、この変形例において、ＣＰＵ１１によって行われるオートフォーカス位置表示５を表示する処理の概略を示すフローチャートである。なお、同図において、図３と同一または相当する処理には同一符号を付して、その説明は省略する。
【００３１】
この変形例では、ＣＰＵ１１およびマルチセレクターボタンは、背面モニタ３を移動可能なオートフォーカス位置の中から、特定の位置のオートフォーカス位置を少なくとも１箇所指定可能な指定手段を構成する。また、ＣＰＵ１１は、移動手段によりオートフォーカス位置表示５が指定手段によって指定された特定の位置に移動された場合と移動されない場合とで、オートフォーカス位置表示５の表示形態を異ならせる表示制御手段を構成する。
【００３２】
オートフォーカス位置表示５の表示が必要となり、図４、Ｓ１の判別が“ＹＥＳ”の場合、ＣＰＵ１１は、Ｓ１１の処理において、オートフォーカス位置表示５が、指定手段によって予め指定された特定の位置にあるか否かを判別する。オートフォーカス位置表示５が特定の位置に位置しておらず、この判別がＮＯ”の場合、Ｓ３の処理において、ＣＰＵ１１は、オートフォーカス位置表示５の表示形態を例えば図２（ａ）に示すような表示形態にする。一方、オートフォーカス位置表示５が特定の位置に位置しており、Ｓ１１の判別が“ＹＥＳ”の場合、Ｓ４の処理において、ＣＰＵ１１は、オートフォーカス位置表示の表示形態を例えば図２（ｂ）に示すような表示形態５ａにする。
【００３３】
このような構成によるデジタルカメラ１によれば、移動手段によりオートフォーカス位置表示５が指定手段によって指定された特定の位置に移動された場合と移動されない場合とで、表示制御手段により、オートフォーカス位置表示５の表示形態が異ならせられる。このため、オートフォーカス位置表示５を指定手段により指定した特定の位置に移動して撮影を行いたい場合、使用者は、オートフォーカス位置表示５の表示形態の変化により、特定の位置にオートフォーカス位置表示５を容易に移動させることができる。この結果、オートフォーカス位置表示５を指定手段により指定した特定の位置に移動して撮影を行った後、再びこの特定の位置で撮影を行いたい場合、使用者は、再びこの特定の位置にオートフォーカス位置表示５を容易に移動させることができ、オートフォーカス撮影における構図の再現性が向上する。
【００３４】
また、上述した実施形態および変形例では、オートフォーカス位置表示５の表示形態は、図２（ａ）、（ｂ）に示すような表示形態であったが、オートフォーカス位置表示５の表示形態は、これらの表示形態に限られない。例えば、図５（ａ）、（ｂ）、（ｃ）、（ｄ）に示すような表示形態５ｂ、５ｃ、５ｄ、５ｅとしてもよい。これらの表示形態は、例えばメニュー画面において全ての形態を背面モニタ３に表示してその中から所望のものを設定する構成とすることができる。また、マルチセレクターの中央ボタンを押す度に、図５の表示形態５ｂ〜５ｅに示すように背面モニタ３に表示するオートフォーカス位置表示５の表示形態を次々と変化させて、所望のものを設定する構成とすることもできる。
【００３５】
また、オートフォーカス位置表示５の表示形態は、表示制御手段により、色、大きさ、輝度、または形状の少なくとも１つが変化させられて、異ならせられる構成としてもよい。この場合、表示形態の決定は、メニュー画面での操作により、オートフォーカス位置表示５の色（赤、青…）、大きさ（大、中、小）、輝度（高、中、低）、上述した形状等のいずれか１つの要素を使用者に選択させたり、または、これらの全部の要素を使用者に選択させて、行う。この構成では、使用者は、オートフォーカス位置表示５の表示形態が異なるのを、これら要素によって明確に容易に区別できる。
【００３６】
また、上述した実施形態では、オートフォーカス位置表示５が画面中央に移動した場合にその表示形態を異ならせて画面中央位置を知らせる構成であったが、オートフォーカス位置表示５が画面中央に導かれるようにその表示形態を変化させる構成であってもよい。
【００３７】
図６は、この変形例において、背面モニタ３上でオートフォーカス位置表示５を動かした場合の表示形態の変化の概略を示した図である。
【００３８】
この構成では、オートフォーカス位置表示５の枠の外周の４辺のうち、画面中央に近い辺の太さが太く表示されて、オートフォーカス位置表示５が画面中央に導かれる。例えば、同図に表示されているオートフォーカス位置表示５ｇは、画面中央のオートフォーカス位置表示５ｋの左側に位置するので、画面中央に近い右側の辺が太く表示される。同様に、画面中央のオートフォーカス位置表示５ｋの下側、右側、および上側に位置するオートフォーカス位置表示５ｈ、５ｉ、および５ｊは、画面中央に近い上側、左側、及び下側の辺が太く表示される。
【００３９】
また、オートフォーカス位置表示５は、画面中央に移動するに連れて、その表示形態の色、大きさ、輝度、または形状の少なくとも１つを変化させて異ならせる構成にしてもよい。
【００４０】
また、上述した実施形態および変形例では、デジタルカメラ１のオートフォーカスは、被写体のコントラストによりレンズ１４の焦点位置を調整するコントラスト検出方式によって行われる場合について説明した。しかし、レンズ１４を通る光を２つに分けた位相差によってレンズ１４の焦点位置を合わせる位相差検出方式がコントラスト検出方式と併用される構成であってもよい。
【００４１】
図７は、位相差検出方式でオートフォーカスが行われる場合に、背面モニタ３の画面において焦点が合わせられるオートフォーカス位置を示した図である。
【００４２】
位相差検出方式によるオートフォーカス位置は、背面モニタ３上で複数の点に離散しており、例えば５１点の限定されたオートフォーカス位置３０にのみ設定される。ここで、背面モニタ３は、位相差検出方式によりオートフォーカスの可能な複数のオートフォーカス位置３０を画面に有する表示手段を構成する。
【００４３】
オートフォーカスがコントラスト検出方式によって行われる場合、オートフォーカス位置表示５は、背面モニタ３上を連続的に移動させることが可能であり、２つの検出方式の検出範囲の重なる位置、つまり、同図のオートフォーカス位置３０にオートフォーカス位置表示５が一致した場合、その表示形態は、色、大きさ、輝度、または形状などに関して異なる表示形態に変化する。この場合、使用者は、位相差検出方式のオートフォーカスを選択して撮影を行うことができる。ここで、ＣＰＵ１１は、コントラスト検出方式によりオートフォーカスが行われるオートフォーカス位置表示５が移動手段により移動させられて、位相差検出方式によりオートフォーカスの可能ないずれかのオートフォーカス位置３０に一致した場合、オートフォーカス位置表示５の表示形態を一致する前と異ならせる表示制御手段を構成する。
【００４４】
このような構成によるデジタルカメラ１によれば、上記のように、コントラスト検出方式によりオートフォーカスが行われるオートフォーカス位置表示５が移動手段により移動させられて、位相差検出方式によりオートフォーカスの可能ないずれかのオートフォーカス位置３０に一致した場合、表示制御手段により、オートフォーカス位置表示５の表示形態が一致する前と異ならせられる。このため、コントラスト検出方式での撮影時に、位相差検出方式によりオートフォーカスの可能ないずれかのオートフォーカス位置３０にオートフォーカス位置表示５を容易に移動することができる。従って、使用者は、コントラスト検出方式でのオートフォーカス撮影時に、位相差検出方式によりオートフォーカスの可能な所望のオートフォーカス位置３０において、位相差検出方式によるオートフォーカス撮影に切り替えて、被写体により正確に焦点を合わせてオートフォーカス撮影をすることが可能となる。
【００４５】
また、上述した実施形態および変形例では、表示手段が背面モニタ３である場合について説明したが、表示手段は、撮像部１５からの画像を映す小型液晶モニタからなる電子式ビューファインダー（ＥＦＶ：Electronic View Finder）や、光学式ビューファインダーであってもよい。この構成によれば、使用者は、光学式ビューファインダーまたは電子式ビューファインダーの画面において、オートフォーカス位置表示５を見ながら、オートフォーカスによる撮影を使い勝手よく行うことができる。
【産業上の利用可能性】
【００４６】
上記実施形態においては、本発明の撮影装置をデジタルカメラに適用した場合について説明したが、ビデオカメラや、携帯電話機等に内蔵されるカメラ等のその他の撮影装置にも適用することが可能である。このような撮影装置に本発明を適用した場合においても、上記実施形態と同様な作用効果が奏される。
【符号の説明】
【００４７】
１…デジタルカメラ
３…背面モニタ
４…リンゴ（被写体像）
５…オートフォーカス位置表示
５ａ〜５ｅ、５ｇ〜５ｊ…表示形態
１１…ＣＰＵ
３０…オートフォーカス位置
【図１】
2011023913.tif 000003
【図２】
2011023913.tif 000004
【図３】
2011023913.tif 000005
【図４】
2011023913.tif 000006
【図５】
2011023913.tif 000007
【図６】
2011023913.tif 000008
【図７】
2011023913.tif 000009